(57)【要約】【課題】  連結状態に設置される場合の水平レベルの調整を容易に且つ効率的にするコンクリートブロック構造体を提供する。【解決手段】  コンクリートブロック２１ａの側壁部２２ａに端面２９ａに到達する水平方向の第１溝３３が形成されている。一方、コンクリートブロック２１ｂのコンクリートブロック２１ｂにも端面２９ｂに達する水平方向の第２溝３４が形成されている。連結具２３の鋼材２６はＬ型鋼よりなり、その水平部が第１溝３３及び第２溝３４に挿入される。この状態でボルト２８ａ，ボルト２８ｂを介して、鋼材２６が側壁部２２ａ及び側壁部２２ｂに固定される。第１溝３３及び第２溝３４の各々はほぼ同一水平レベルに形成されているため、鋼材２６の水平部の挿入によってコンクリートブロック２１ａとコンクリートブロック２１ｂの水平レベルが一致する。【選択図】      図２
2005264475.tif 000002
【特許請求の範囲】
【請求項１】
側壁部を同一面上に整列させた状態で互いに端面を連結して設置するコンクリートブロック構造体であって、
前記側壁部の両端の各々において、ほぼ同一レベルにて水平方向に延びる溝が前記端面まで形成された少なくとも２個のコンクリートブロックと、
前記コンクリートブロックの各々を連結した状態において、隣接して整列する前記溝の各々に対して水平方向に挿入し得る鋼材とを備えた、コンクリートブロック構造体。
【請求項２】
前記溝の一方は、上面が開放側に向かって上昇するように傾斜する傾斜面を有するとともに下面が水平面を有し、
前記溝の他方は、上面が水平面を有するとともに、下面が開放側に向かって降下するように傾斜する傾斜面を有し、
前記溝の一方の前記下面の高さに対して前記溝の他方の前記上面の高さは、前記鋼材の板厚分だけ高く設定されている、請求項１記載のコンクリートブロック構造体。
【請求項３】
前記溝の一方の前記下面には、前記鋼材の挿入方向とほぼ平行な第１凹部が外方端部まで形成され、
前記溝の他方の前記上面には、前記鋼材の挿入方向に対して前記端面から離れる方向に傾斜した第２凹部が外方端部まで形成され、
前記鋼材の水平部の下面には挿入時において前記第１凹部に嵌合し得る第１凸部と、前記水平部の上面には挿入時において前記第２凹部に嵌合し得る第２凸部とが形成される、請求項２記載のコンクリートブロック構造体。
【請求項４】
前記溝の各々の下方における前記側壁部にはボルトを取付けるためのインサートが形成され、
挿入された状態の前記鋼材は、前記ボルトにより前記インサートを介して前記コンクリートブロックの各々に固定される、請求項１から請求項３の何れかに記載のコンクリートブロック構造体。
【請求項５】
コンクリートブロックの設置方法であって、
第１のコンクリートブロックを所望の水平レベル状態に設置する工程と、
前記第１コンクリートブロックに隣接するように第２のコンクリートブロックを設置する工程と、
前記第１のコンクリートブロックと前記第２のコンクリートブロックとの連結部分の側壁の各々に形成された水平溝に剛性を有する部材を挿入することによって、前記第１のコンクリートブロックと前記第２のコンクリートブロックとの前記連結部分の高さを揃える工程と、
前記第２のコンクリートブロックを所望の水平レベル状態に設置する工程とを備えた、コンクリートブロックの設置方法。
【発明の詳細な説明】
【技術分野】
【０００１】
この発明はコンクリートブロック構造体及びコンクリートブロックの設置方法に関し、特に側溝用コンクリートブロック等が連結状態に設置されるコンクリートブロック構造体及びコンクリートブロックの設置方法に関するものである。
【背景技術】
【０００２】
図１５は従来の側溝用コンクリートブロックの連結状態を示した概略側面図であり、図１６は図１５に示したＸＶＩ−ＸＶＩラインの拡大断面図であり、図１７は、図１５に示したＸＶＩＩ−ＸＶＩＩラインの拡大断面図である。
【０００３】
これらの図を参照して、コンクリートブロック２１ａ〜コンクリートブロック２１ｃの各々が、例えば基礎コンクリート２４上にレベル調整具２５を介して連結状態にて設置されている。レベル調整具２５は１つのコンクリートブロック２１の下面に対してコーナーの四隅に計４本設置されており、図示しない構造によって各々の高さを任意に調整することが可能になっている。
【０００４】
連結部分にあっては、図１７に示されているようにコンクリートブロック２１ａの側壁部２２ａの上方部分にインサート７７が形成されている。一方、コンクリートブロック２１ｂの側壁部２２ｂの上方部分にも、同様のインサート７８がインサート７７とほぼ同一の水平レベルにおいて形成されている。
【０００５】
連結時にあっては、コンクリートブロック２１ａの端面２９ａとコンクリートブロック２１ｂの端面２９ｂとを当接させた状態で、インサート７７及びインサート７８の外面に被さるように鋼材７３をセットする。そして鋼材７３に形成された丸穴７４を介してボルト７１ａをインサート７７に螺合させる。一方鋼材７３に形成された長穴７５を介してボルト７１ｂをインサート７８に螺合させる。このようにして、コンクリートブロック２１ａとコンクリートブロック２１ｂとは、鋼材７３を介して相互に連結した状態が維持されることになる。
【０００６】
尚、このようにして相互にコンクリートブロック２１を連結させた状態で、図１６に示されているようにコンクリートブロック２１ａの下方部に生コンクリート６９を流し込み、コンクリートブロック２１ａを基礎コンクリート２４上に固定する。その後コンクリートブロック２１ａの両側に掘削された土を埋め戻し、その表面にアスファルト等を施工して側溝用コンクリートブロックの設置工事は終了する。
【発明の開示】
【発明が解決しようとする課題】
【０００７】
上記のような従来の側溝用コンクリートブロックの設置方法にあっては、設置時のレベル調整が十分効率的に行なわれているとは言えなかった。
【０００８】
図１８は、図１５で示した側溝用コンクリートブロックの設置作業の概略工程を示した図である。
【０００９】
その（１）に示されているように、まずコンクリートブロック２１ａを基礎コンクリート２４上に設置し、４本のレベル調整具２５を各々調整することによって所定の水平レベル状態に設置する。次に、コンクリートブロック２１ａに隣接する側壁部２２ｂをワイヤ４７を介してコンクリートブロック２１ａの近くに吊り下ろす。そしてコンクリートブロック２１ｂをコンクリートブロック２１ａに合わせてその水平レベルを調整し、且つコンクリートブロック２１ａに対してコンクリートブロック２１ｂが連結状態となるように各々調整する。この状態で側壁部２２ｂの下方にレベル調整具２５ｂを設置して高さ調整し、コンクリートブロック２１ｂの設置状態を安定させる。この時点でコンクリートブロック２１ａの側壁部２２ａに形成されているインサート７７と、コンクリートブロック２１ｂの側壁部２２ｂに形成されているインサート７８とは、整列した状態となり且つ同一の水平レベルとなる。
【００１０】
次に、その（２）に示されているように、インサート７７及びインサート７８を介して連結具６７をコンクリートブロック２１ａ，コンクリートブロック２１ｂの各々に対して固定することによって、これらの連結及び調整作業が終了する。同様にコンクリートブロック２１ｂに対してコンクリートブロック２１ｃ以降のコンクリートブロックを順次設置してその上下方向及び水平方向を調整する。
【００１１】
このようにコンクリートブロック２１ｂは、すでに設置されたコンクリートブロック２１ａとは別にその水平レベルを調整する必要があるため、その調整作業に手間がかかってしまう。又、この作業は以降のコンクリートブロックに対しても順次必要となるため、全体としての設置効率が低下することになる。
【００１２】
この発明は上記のような課題を解決するためになされたもので、連結状態に設置される場合の水平レベルの調整を容易に且つ効率的にするコンクリートブロック構造体及びコンクリートブロックの設置方法を提供することを目的とする。
【課題を解決するための手段】
【００１３】
上記の目的を達成するために、請求項１記載の発明は、側壁部を同一面上に整列させた状態で互いに端面を連結して設置するコンクリートブロック構造体であって、側壁部の両端の各々において、ほぼ同一レベルにて水平方向に延びる溝が端面まで形成された少なくとも２個のコンクリートブロックと、コンクリートブロックの各々を連結した状態において隣接して整列する溝の各々に対して水平方向に挿入し得る鋼材とを備えたものである。
【００１４】
このように構成すると、鋼材の溝の各々の挿入によって連結部分のコンクリートブロック同士の水平レベルが一致する。
【００１５】
請求項２記載の発明は、請求項１記載の発明の構成において、溝の一方は、上面が開放側に向かって上昇するように傾斜する傾斜面を有するとともに、下面が水平面を有し、溝の他方は、上面が水平面を有するとともに、下面が開放側に向かって降下するように傾斜する傾斜面を有し、溝の一方の下面の高さに対して溝の他方の上面の高さは、鋼材の板厚分だけ高く設定されたものである。
【００１６】
このように構成すると、溝の他方の上面から鋼材に加わったコンクリートブロックの一方の重量は、鋼材を介して溝の一方の下面、即ちコンクリートブロックの他方に伝達される。
【００１７】
請求項３記載の発明は、請求項２記載の発明の構成において、溝の一方の下面には、鋼材の挿入方向とほぼ平行な第１凹部が外方端部まで形成され、溝の他方の上面には、鋼材の挿入方向に対して端面から離れた方向に傾斜した第２凹部が外方端部まで形成され、鋼材の水平部の下面には挿入時において第１凹部に嵌合し得る第１凸部と、水平部の上面には挿入時において第２凹部に嵌合し得る第２凸部とが形成されるものである。
【００１８】
このように構成すると、鋼材の挿入につれてコンクリートブロックは互いに接近する方向に力が加わる。
【００１９】
請求項４記載の発明は、請求項１から請求項３の何れかに記載の発明の構成において、溝の各々の下方における側壁部にはボルトを取付けるためのインサートが形成され、挿入された状態の鋼材は、ボルトによりインサートを介してコンクリートブロックの各々に固定されるものである。
【００２０】
このように構成すると、挿入された鋼材が移動することがない。
【００２１】
請求項５記載の発明は、コンクリートブロックの設置方法であって、第１のコンクリートブロックを所望の水平レベルに設置する工程と、第１のコンクリートブロックに隣接するように第２のコンクリートブロックを設置する工程と、第１のコンクリートブロックと第２のコンクリートブロックとの連結部分の側壁の各々に形成された水平溝に剛性を有する部材を挿入することによって、第１のコンクリートブロックと第２のコンクリートブロックとの連結部分の高さを揃える工程と、第２のコンクリートブロックを所望の水平レベル状態に設置する工程とを備えたものである。
【００２２】
このように構成すると、第１のコンクリートブロックと第２のコンクリートブロックとの連結部分の高さが一致する。
【発明の効果】
【００２３】
以上説明したように、請求項１記載の発明は、鋼材の挿入によって連結部分のコンクリートブロック同士の水平レベルが一致するため、連結時の水平レベル調整が容易となり、作業効率が向上する。
【００２４】
請求項２記載の発明は、請求項１記載の発明の効果に加えて、コンクリートブロックの一方の重量は鋼材を介してコンクリートブロックの他方に伝達されるため、溝の形状に関わらずコンクリートブロックの水平レベルがずれることなく適切に保持される。
【００２５】
請求項３記載の発明は、請求項２記載の発明の効果に加えて、鋼材の挿入につれてコンクリートブロックは互いに接近する方向に力が加わるため、水平レベルのみならず連結方向の移動調整が容易となり、より使い勝手が向上する。
【００２６】
請求項４記載の発明は、請求項１から請求項３の何れかに記載の発明の効果に加えて、挿入された鋼材が移動することがないため、コンクリートブロック同士の連結状態がより安定する。
【００２７】
請求項５記載の発明は、第１のコンクリートブロックと第２のコンクリートブロックとの連結部分の高さが一致するため、第２のコンクリートブロックにあっては、第１のコンクリートブロックとは反対側のレベルのみ調整すれば良いため作業効率を向上する。
【発明を実施するための最良の形態】
【００２８】
図１はこの発明の第１の実施の形態による側溝用コンクリートブロックよりなるコンクリートブロック構造体の連結状態を示した側面図であり、図２は図１で示した“Ｘ”部分の拡大図であり、図３は図２で示したＩＩＩ−ＩＩＩラインから見た図であり、図４は図２で示したＩＶ−ＩＶラインの断面図であり、図５は図２で示したＶ−Ｖラインの断面図である。
【００２９】
連結されるコンクリートブロック２１ａ〜コンクリートブロック２１ｃの概略形状は図１６で示した背景技術に示したものと基本的には同一である。しかしながら、コンクリートブロック２１の下方に設置されるレベル調整具２５は各２本ずつとなっており、背景技術によるものに比べて半数となっている。又、各コンクリートブロック２１を連結するための連結具２３の構造が背景技術によるものと大きく異なっている。
【００３０】
図６は図２においてボルト２８ａ，ボルト２８ｂと鋼材２６とからなる連結具２３を取外した状態を示した図であり、図７は図６で示したＶＩＩ−ＶＩＩラインの断面図である。
【００３１】
これらの図を参照して、コンクリートブロック２１ａの側壁部２２ａの端面２９ａ側の端部には、水平方向に延びる第１溝３３が形成されている。第１溝３３の上面４１は開放側に向かって上昇するように傾斜する傾斜面となっている。一方、第１溝３３の下面４０は水平面となっている。尚、第１溝３３が上面４１及び下面４０の何れか一方を開放側に向かって傾斜させて開放側を広げるような形状となるのは、型枠に生コンクリートを流し込むことによって溝を含めたコンクリートブロック２１が形成されるためである。
【００３２】
一方、コンクリートブロック２１ｂの側壁部２２ｂの端面２９ｂ側の端部にも、水平方向に延びる第２溝３４が形成されている。第２溝３４を構成する上面４３は水平面となっている。一方、第２溝３４を構成する下面４４は開放側に向かって降下するように傾斜する傾斜面を有している。第２溝３４も開放側に向かって広がるように形成されている点は第１溝３３と同様の理由によるものであるが、水平面と傾斜面との上下関係が第１溝３３とは逆になっている。この点については後述する。
【００３３】
尚、コンクリートブロック２１ａの側壁部２２ａの第１溝３３の下方の位置にはインサート３７が形成されており、同様にコンクリートブロック２１ｂの第２溝３４の下方の位置にもインサート４５が形成されている。この実施の形態においてはインサート３７とインサート４５とはほぼ同一水平レベルに設定されている。
【００３４】
図１に戻って、コンクリートブロック２１ａ〜コンクリートブロック２１ｃはその連結部分はすべて図６に示したものと同一の第１溝３３及び第２溝３４が形成されている。従って、各コンクリートブロック２１に対して第１溝３３及び第２溝３４の形成状態を考慮すると、コンクリートブロック２１の側壁部２２の一方の端部には第１溝３３が形成され、他方端部には第２溝３４が形成されることになる。これによって以下説明する同一の連結具２３を用いて同様の要領にてコンクリートブロック２１を相互に連結することが可能となる。
【００３５】
図２に戻って、連結具２３は、Ｌ型鋼を所定の長さに切断したものからなる鋼材２６と、鋼材２６の垂直部２７に形成された丸穴３０及び長穴３１を介してコンクリートブロック２１ａのインサート３７と、コンクリートブロック２１ｂのインサート４５とに螺合させるボルト２８ａ，ボルト２８ｂとから構成されている。取付け時には図４及び図５に示されているように、鋼材２６の水平部３６がコンクリートブロック２１ａの第１溝３３及びコンクリートブロック２１ｂの第２溝３４に挿入されている。この状態で鋼材２６は、インサート３７に螺合するボルト２８ａとインサート４５に螺合するボルト２８ｂとによって、コンクリートブロック２１ａ及びコンクリートブロック２１ｂに固定されている。又、コンクリートブロック２１ａの端面２９ａとコンクリートブロック２１ｂの端面２９ｂとは当接状態となっており、この状態でボルト２８ａ及びボルト２８ｂがコンクリートブロック２１ａ及びコンクリートブロック２１ｂに対して締付けられている。
【００３６】
このように連結具２３が取付けられているため、鋼材２６の水平部３６の下面は第１溝３３の下面４０に面接触状態となる。一方、鋼材２６の水平部３６の上面は第２溝３４の上面４３に対して面接触状態となる。これによってコンクリートブロック２１ｂの重量は、第２溝３４の上面４３を介して鋼材２６の水平部３６に伝達され、伝達された重量は水平部３６の下面を介してコンクリートブロック２１ａの第１溝３３の下面４０に伝達される。即ちコンクリートブロック２１ｂの重量は、連結具２３の鋼材２６を介してコンクリートブロック２１ａに伝達されることになる。
【００３７】
そしてコンクリートブロック２１ａに形成される第１溝３３の下面４０の水平レベルに対して、コンクリートブロック２１ｂに形成される第２溝３４の上面４３の水平レベルが、図７に示されているように鋼材２６の水平部３６のほぼ板厚分だけ高く設定されている。従って、図２に示した連結具２３の取付け状態にあっては、コンクリートブロック２１ａとコンクリートブロック２１ｂとの接触面において互いの水平レベルが一致することになる。これによってコンクリートブロック２１ａの水平レベルが調整した後にあっては、コンクリートブロック２１ｂのコンクリートブロック２１ａ側の水平レベルの調整は、連結具２３を上述のように取付けることによって不要となる。そのためコンクリートブロック２１ｂのコンクリートブロック２１ａ側に従来必要とされたレベル調整具２５がないにもかかわらず、正確な水平レベルの調整が可能となる。
【００３８】
図８はこの発明の第１の実施の形態による側溝用コンクリートブロックの設置作業を説明するための概略工程図である。
【００３９】
その（１）に示されているように、まず最初にコンクリートブロック２１ａを基礎コンクリート２４上に設置してレベル調整具２５ａ，レベル調整具２５ｂを各々調整することによって、コンクリートブロック２１ａの調整状態を維持する。次に、コンクリートブロック２１ａに連結すべきコンクリートブロック２１ｂを、ワイヤ４７を介してコンクリートブロック２１ａに隣接するように吊り下ろす。この状態でコンクリートブロック２１ａの側壁部２２ａの端面２９ａ側には、第１溝３３及びインサート３７が形成されている。一方、コンクリートブロック２１ｂの側壁部２２ｂには、端面２９ｂ側に第２溝３４及びインサート４５が形成されている。コンクリートブロック２１ａの第１溝３３とコンクリートブロック２１ｂの第２溝３４とをほぼ整列するような位置に垂直方向及び水平方向を調節した後、図７に示したように第１溝３３及び第２溝３４に対して鋼材２６を水平方向に挿入する。これによってコンクリートブロック２１ｂの水平レベルが、既に調整されたコンクリートブロック２１ａの水平レベルに対して端面２９ｂの部分において一致することになる。
【００４０】
連結具２３の取付けが終了すると、その（２）に示されているように、コンクリートブロック２１ｂのコンクリートブロック２１ａとは反対側の部分の水平レベルを調整した後、レベル調整具２５ｃを調整することによってその状態を保持する。このようにコンクリートブロック２１ｂに対してはその水平レベルの調整は一方側でのみ良く、又、その状態を保持するレベル調整具２５についても反対側にのみ設置すれば良い。これによってコンクリートブロック２１ｂの水平レベルの調整作業が効率化する。コンクリートブロック２１ｂの水平レベルの調整が終了すると、次に連結するコンクリートブロック２１ｃに対しても同様の手順で水平レベルの調整が可能となる。
【００４１】
このように、この発明の実施の形態によれば、従来とは異なりレベル調整具２５は取付けるべきコンクリートブロック２１ｂに対して接続側に設ける必要がない。そのため、側溝用ブロックのようなコンクリートブロックを細長い掘削溝に設置する場合であっても溝との間の狭いスペースでの作業とはならず、安全であると共に作業効率も向上する。更に、連結具２３の存在でコンクリートブロック同志の接合部の一体性が向上し、施工後のコンクリートブロックの信頼性を向上する。
【００４２】
図９はこの発明の第２の実施の形態によるコンクリートブロック構造体の概略構成を示した図であって、先の第１の実施の形態による図４及び図５に相当する断面図である。
【００４３】
図を参照して、コンクリートブロック２１ａ，コンクリートブロック２１ｂの各々に形成される上方第１溝４９及び上方第２溝５０は先の実施の形態によるものと同一であるが、この実施の形態においては、上方第１溝４９及び上方第２溝５０と同様の形状を有する下方第１溝５２及び下方第２溝５３が、上方第１溝４９及び上方第２溝５０の下方に形成されている点が異なっている。
【００４４】
一方、コンクリートブロック２１ａとコンクリートブロック２１ｂとを連結させるための連結具２３の形状も異なっている。即ち、連結具２３を構成する鋼材２６は断面コの字状のいわゆるチャンネル鋼が用いられている。即ち鋼材２６は、垂直部５５と、垂直部５５の上方端に接続され水平方向に延びる上方水平部５６と、垂直部５５の下方端部に接続され水平方向に延びる下方水平部５７とから構成されている。そして鋼材２６の上方水平部５６はコンクリートブロック２１ａの上方第１溝４９とコンクリートブロック２１ｂの上方第２溝５０とに挿入され、下方水平部５７は各々の下方第１溝５２と下方第２溝５３とに挿入されている。これによって先の実施の形態と同様にコンクリートブロック２１ａとコンクリートブロック２１ｂとの水平レベルは同一となるが、鋼材２６がチャンネル鋼を用いているためより連結状態が安定する。尚、鋼材２６のコンクリートブロック２１ａ及びコンクリートブロック２１ｂへの固定は、各々に形成されたインサート３７及びインサート４５にボルト２８ａ及びボルト２８ｂを螺合させることによって固定される点は、先の実施の形態によるものと同一である。
【００４５】
図１０はこの発明の第３の実施の形態によるコンクリートブロック構造体の概略構成を示した図であって、先の第１の実施の形態による図４及び図５に相当する断面図である。
【００４６】
図を参照して、コンクリートブロック２１ａ及びコンクリートブロック２１ｂの各々に形成される第１溝３３及び第２溝３４の形状は先の第１の実施の形態によるものと同一である。この実施の形態においては、連結具２３として用いられる鋼材２６が平板である点が異なっている。鋼材２６は平板であるため先の各実施の形態のようにコンクリートブロック２１ａ及びコンクリートブロック２１ｂには直接固定するように構成されていないが、これを第１溝３３及び第２溝３４に挿入することによってコンクリートブロック２１ａ及びコンクリートブロック２１ｂの水平レベルを調整するという点については、同一の効果を奏するものである。
【００４７】
図１１はこの発明の第４の実施の形態によるコンクリートブロック構造体の概略平面図であり、図１２は図１１で示したＸＩＩ−ＸＩＩラインから見た図であり、図１３は図１１で示したＸＩＩＩ−ＸＩＩＩラインから見た図である。
【００４８】
これらの図を参照して、コンクリートブロック２１ａの側壁部２２ａの端部に形成される第１溝３３及びコンクリートブロック２１ｂの側壁部２２ｂの端部に形成される第２溝３４の基本的な形状は、先の第１の実施の形態によるものと同一である。しかしこの実施の形態においては、第１溝３３の下面４０に直方体形状の第１凹部５９が形成され、第２溝３４の上面４３には、平面視が平行四辺形形状の第２凹部６０が形成されている点が異なっている。第１凹部５９はその長手方向がコンクリートブロック２１ａの端面２９ａの面に対して平行に形成されている。一方、第２凹部６０は側壁部２２ｂから内方に行くに従ってその端面２９ｂから離れるように傾斜するように形成されている。尚、第２凹部６０の内面への傾斜程度は、第２溝３４の奥側の位置における傾斜に相当する距離ｓとなっている。
【００４９】
一方、第１溝３３及び第２溝３４に挿入される連結具２３の鋼材２６も、基本的には先の第１の実施の形態によるものと同一のＬ型鋼が用いられている。但し鋼材２６の水平部３６の下面には、第１溝３３に形成された第１凹部５９に嵌合し得る形状の直方体の第１凸部６２が形成されている。又、鋼材２６の水平部３６の上面には第２溝３４に形成された第２凹部６０に嵌合し得る形状の第２凸部６３が形成されている。尚、第１凸部６２の内方側の位置と第２凸部６３の内方側であって且つ垂直部２７側の位置との距離Ｃは、第１凹部５９の外方側の位置ｍと端面２９ａとの距離Ａと、第２凹部６０の側壁部２２ｂ側の位置であって且つ内方側の位置ｎと端面２９ｂとの距離Ｂとを加えた値に一致するように、第１凸部６２及び第２凸部６３は形成されている。
【００５０】
次にこの実施の形態における連結具２３の取付け方法について説明する。
【００５１】
取付け前の状態にあっては、図１１に示されているように第２凹部６０及び第２凸部６３の傾斜を規定する距離ｓに相当する距離を隙間６５として保てるように、コンクリートブロック２１ｂをコンクリートブロック２１ａに対して設置する。次に鋼材２６を第１溝３３及び第２溝３４に対して進行させる。この状態にあっては、第１凹部５９の側壁部２２ａ側の位置ｍと第２凹部６０の側壁部２２ｂ側の位置ｎとの距離は、第１凸部６２の端部の位置ｘと第２凸部６３の端部の位置ｙとの距離に一致する。従って、鋼材２６を第１溝３３及び第２溝３４の方向に移動させると、第１凸部６２の端部は第１凹部５９の開放端端部に対向して嵌合状態となり、第２凸部６３の端部は第２凹部６０の開放端端部に対向して嵌合状態となる。
【００５２】
図１４は図１１の状態から鋼材２６を第１溝３３及び第２溝３４内部に進行させた状態を示した工程図である。
【００５３】
その（１）においては、鋼材２６が第１溝３３及び第２溝３４の内部に半分程度進行した状態が示されている。上述のように鋼材２６の第１凸部６２は端面２９ａにその長手方向が平行に設定された第１凹部５９内部を進行する。一方、第２凸部６３は端面２９ｂに対して内方側に傾斜するように設定された第２凹部６０内部を進行する。従って、第２凸部６３の進行につれて、コンクリートブロック２１ｂは第２凹部６０を介してコンクリートブロック２１ａに近づく方向に力が加えられることになる。即ちこの実施の形態においては、鋼材２６を第１溝３３及び第２溝３４に挿入することによって、コンクリートブロック２１ａとコンクリートブロック２１ｂの水平レベルの調整のみならず、これらを互いに近づく方向に力を加えることが可能となる。従って鋼材２６の進行とともに、コンクリートブロック２１ａとコンクリートブロック２１ｂとの隙間６５は徐々に小さくなるようにコンクリートブロック２１ｂは移動することになる。
【００５４】
鋼材２６を第１溝３３及び第２溝３４に完全に収納した状態となると、その（２）に示されているように、コンクリートブロック２１ａとコンクリートブロック２１ｂとの隙間は完全になくなり、端面２９ａと端面２９ｂとが完全に当接した状態となる。これによってコンクリートブロック２１ａに対するコンクリートブロック２１ｂの連結設置作業が完了する。この状態で先の実施の形態と同様に、鋼材２６の垂直部２７に形成された丸穴３０及び長穴３１を介してボルトをインサート３７とインサート４５とに螺合させることによって、鋼材２６はコンクリートブロック２１ａ及びコンクリートブロック２１ｂに完全に固定され、これらの連結状態が保持されることになる。
【００５５】
尚、上記の各実施の形態では、側溝用コンクリートブロックを連結の対象としているが、他のコンクリートブロックでも同様に側壁を整列しながら水平方向に連結するものであれば同様に適用できる。
【００５６】
又、上記の各実施の形態では、溝には傾斜面が形成されているが、これはコンクリートブロックの製造時に一体的に形成するために生じる形状であり、機能的には上下の面ともいずれも水平面で形成されていることが好ましい。そのため、溝はコンクリートブロックの形成後に所定の位置に新たに形成するように構成しても良い。
【００５７】
更に、上記の各実施の形態では、隣接する溝同志の傾斜面と水平面との関係が逆の形状になっているが、これらを同一の形状にしても連結具をくさび形状にしたり、あるいはその嵌合状態の遊び等を少なくすれば同様の効果を奏する。
【００５８】
更に、上記の第４の実施の形態では、溝に凹部を形成し、連結具に凸部を形成しているが、溝に凸部を形成し、連結具にこれに嵌合する凹部を形成するようにしても同様の効果を奏する。
【００５９】
更に、上記の第４の実施の形態では、凹部及び凸部は一方側のみ平面視で傾斜させているが、両方側共に傾斜するように構成してもコンクリートブロックを水平方向に寄せる効果を同様に奏するものである。
【００６０】
更に、上記の第１、第２及び第４の実施の形態では、連結具の垂直部は取付け時においてコンクリートブロックの側壁面に沿わせているが、側壁面にこの垂直部の表面が側壁面と整列するような凹みを形成しておけば、連結具の取付け状態がより安定し水平レベルの維持効果もより向上する。
【００６１】
更に、上記の各実施の形態では、インサートをコンクリートブロックに形成しているが、これに代えて取付けボルトを前もってコンクリートブロックに埋め込んでおいたり、他の固定手段を用いても良い事は言うまでもない。
【００６２】
更に、上記の各実施の形態では、コンクリートブロックのレベル調整後の維持をレベル調整具を用いて行っているが、これに代えてモルタル仕上げ等の他のレベル維持手段を用いたものに対しても同様に適用でき、同様の効果を奏する。
【図面の簡単な説明】
【００６３】
【図１】この発明の第１の実施の形態による側溝用コンクリートブロックの連結状態を示した側面図である。
【図２】図１で示した“Ｘ”部分の拡大図である。
【図３】図２で示したＩＩＩ−ＩＩＩラインから見た図である。
【図４】図２で示したＩＶ−ＩＶラインの断面図である。
【図５】図２で示したＶ−Ｖラインの断面図である。
【図６】図２で示した状態から連結具を取外した状態を示した図である。
【図７】図６で示したＶＩＩ−ＶＩＩラインの断面図である。
【図８】この発明の第１の実施の形態による側溝用コンクリートブロックの設置要領を示した概略工程図である。
【図９】この発明の第２の実施の形態による側溝用コンクリートブロックの連結具の取付け状態を示した断面図である。
【図１０】この発明の第３の実施の形態による側溝用コンクリートブロックの連結具の取付け状態を示した断面図である。
【図１１】この発明の第４の実施の形態による側溝用コンクリートブロックの取付け状態を示した平面図である。
【図１２】図１１で示したＸＩＩ−ＸＩＩラインから見た図である。
【図１３】図１１で示したＸＩＩＩ−ＸＩＩＩラインから見た図である。
【図１４】この発明の第４の実施の形態による側溝用コンクリートブロックの連結具の取付け要領を示した概略工程図である。
【図１５】従来の側溝用コンクリートブロックの連結状態を示した側面図である。
【図１６】図１５で示したＸＶＩ−ＸＶＩラインの拡大断面図である。
【図１７】図１５で示したＸＶＩＩ−ＸＶＩＩラインの拡大断面図である。
【図１８】従来の側溝用コンクリートブロックの設置要領を示した概略工程図である。
【符号の説明】
【００６４】
２１…コンクリートブロック
２２…側壁部
２３…連結具
２６…鋼材
２９…端面
３３…第１溝
３４…第２溝
３６…水平具
４０，４３…上面
４１，４４…下面
４９…上方第１溝
５０…上方第２溝
５２…下方第１溝
５３…下方第２溝
５６…上方水平部
５７…下方水平部
５９…第１凹部
６０…第２凹部
６２…第１凸部
６３…第２凸部
尚、各図中同一符号は同一又は相当部分を示す。
【図１】
2005264475.tif 000003
【図２】
2005264475.tif 000004
【図３】
2005264475.tif 000005
【図４】
2005264475.tif 000006
【図５】
2005264475.tif 000007
【図６】
2005264475.tif 000008
【図７】
2005264475.tif 000009
【図８】
2005264475.tif 000010
【図９】
2005264475.tif 000011
【図１０】
2005264475.tif 000012
【図１１】
2005264475.tif 000013
【図１２】
2005264475.tif 000014
【図１３】
2005264475.tif 000015
【図１４】
2005264475.tif 000016
【図１５】
2005264475.tif 000017
【図１６】
2005264475.tif 000018
【図１７】
2005264475.tif 000019
【図１８】
2005264475.tif 000020